(57)【要約】【課題】制御装置も同時に持ち運び現場で速やかに酸素吸入を開始できボンベ交換も迅速に実施可能で種々の現場への持ち運びが容易な酸素ボンベキャリアバッグを提供する。【解決手段】酸素ボンベ収納区画８１には、底板９１、板バネ部材９２、カバー体９３、ウレタン部材９５が収納される。底板９１はＡＢＳ樹脂製ハニカムパネルの曲げ加工品で、立ち上がり部９１Ｒは１４０ｍｍ、立ち上がり部９１Ｌは４０ｍｍの高さとされ、板バネ部材９２は、メッキ鋼板で製造され、中心線部材９２Ａに長さをほぼ３等分する位置にリベット止めされた円弧部材９２Ｂ，９２Ｃを備える。酸素ボンベ２は、水平仕切板７１の下方に底部を収納するものの、左端の上方は開放されていて斜めに抜き取ったり差し入れたりすることができる。酸素ボンベ２の底が底板９１の右端立ち上がり部９２Ｒ及びウレタン部材９５で受け止められ、板バネ部材９２で前後の揺れも抑制される。【選択図】  図６
2015015970.tif 000002
【特許請求の範囲】
【請求項１】
ソフトケースで構成され、酸素吸入に必用なボンベ及び備品を収納して持ち運ぶことのできる酸素ボンベキャリアバッグであって、以下の構成をも備えたことを特徴とする酸素ボンベキャリアバッグ。
（１）前記ソフトケースは、その底面に前記ボンベを横向き収納することのできる幅寸法及び奥行き寸法を有し、当該ボンベを横向き収納したままで酸素吸入制御を実行するための制御装置を前記ボンベの上部に収納可能な高さを有すること。
（２）前記ソフトケースの内部には、横向き収納されたボンベを載せることのできる長さと幅とを有し両端に上方への立ち上がり部を備えた底板と、該底板の上面に取り付けられて横向き収納されたボンベの前後に端部を位置させた板バネ部材と、横向き収納されたボンベの底部側所定範囲の上方所定高さに位置する水平仕切板とが取り付けられていること。
（３）前記底板の両端の立ち上がり部の内、前記ボンベの底面側となる方の立ち上がり部は当該ボンベの底面全体を受けることができる高さまで立ち上げられた底面受け立ち上がり部であり、その反対側の立ち上がり部は前記水平仕切板で覆われていない部分から当該水平仕切板を取り外さないままで前記ボンベを斜め上方に出し入れすることのできる高さの出し入れ側立ち上がり部とされていること。
【請求項２】
さらに、以下の構成をも採用したことを特徴とする請求項１に記載の酸素ボンベキャリアバッグ。
（４）前記ソフトケースは、前面及び背面の中央上部に取り付けられた持ち手と、前面の一端側から背面の他端側へと掛け渡される肩掛けストラップと、前記ボンベの底部を下にした状態にして背中に背負うために背面側に取り付けられた背負いパットとを有すると共に、前記肩掛けストラップは取り外し可能に構成され、前記背負いパットは背負ったときの下端側をナスカン及びＤカンで脱着可能に構成されると共に下端側を取り外したときにソフトケースの背面との間に収納するポケットを有していること。
【請求項３】
さらに、以下の構成をも採用したことを特徴とする請求項１又は２に記載の酸素ボンベキャリアバッグ。
（５）前記底板の底面受け立ち上がり部には、前記ボンベの底部を受け止めることのできるサイズのクッション材を取り付けてあること。
【請求項４】
さらに、以下の構成をも採用したことを特徴とする請求項１〜３のいずれかに記載の酸素ボンベキャリアバッグ。
（６）前記底板はハニカムパネル製の帯板の両端を上方へ曲げ加工することによって前記立ち上がり部を一体に形成したものであること。
【請求項５】
さらに、以下の構成をも採用したことを特徴とする請求項１〜４のいずれかに記載の酸素ボンベキャリアバッグ。
（７）前記板バネ部材は、前記底板の長さ中心線上に取り付ける中心線部材と、該中心線部材に取り付ける複数の円弧部材とから構成されていること。
【請求項６】
さらに、以下の構成をも採用したことを特徴とする請求項１〜５のいずれかに記載の酸素ボンベキャリアバッグ。
（８）前記ソフトケースは、前身頃と後身頃と底部を立体的に縫合してなるソフトケース本体と、前記底部にそれぞれの一端を固定され、前記前身頃及び後身頃の縁部に取り付けられたファスナに対してスライダ操作によってそれぞれの前後の縁に取り付けられたファスナを噛み合わせることにより前記ソフトケース本体の側面及び上面の開口を閉じるための左右の上カバーとを備えていること。
（９）前記底板及び板バネ部材は、前記底部に固定されると共に上からカバー体で覆われ、前記水平仕切板は当該ソフトケース本体の幅方向ほぼ半分の領域において前記酸素ボンベの上方を覆う様に取り付けられていること。
【請求項７】
さらに、以下の構成をも採用したことを特徴とする請求項６に記載の酸素ボンベキャリアバッグ。
（１０）前記水平仕切板は前後の縁の表面及び裏面に面ファスナを備え、前記前身頃と後身頃の内側面に水平に幅方向中心を縫い付けられた面ファスナで表裏から挟み付ける様にして前記ソフトケースに対して脱着可能に取り付けられていること。
【請求項８】
さらに、以下の構成をも採用したことを特徴とする請求項７に記載の酸素ボンベキャリアバッグ。
（１１）前記水平仕切板のボンベ底部側には、前後の縁の表面及び裏面に面ファスナを備え、前記前身頃と後身頃の内側面に垂直に幅方向中心を縫い付けられた面ファスナで表裏から挟み付ける様にして前記ソフトケースに対して脱着可能に取り付けられた垂直仕切板をも備え、前記水平仕切板及び垂直仕切板に対して底壁及び側壁を面ファスナ結合によって固定されると共に背面にも垂直壁を備え、前記垂直仕切板に固定されない側の背面の垂直壁の端部にフラップを備え、該フラップを前後方向に倒して前記ソフトケースの内面に対して面ファスナで結合することにより精密機器収納用の空間を前記水平仕切板の上側に形成する箱形仕切板をも備えていること。
【請求項９】
さらに、以下の構成をも採用したことを特徴とする請求項１〜８のいずれかに記載の酸素ボンベキャリアバッグ。
（１２）前記ソフトケースには、横向き収納したボンベの酸素吐出口に取り付けた機器前面側から覗き見ることができる様に切りかかれた窓開口が備えられ、当該窓開口を開閉する透明な窓カバーが面ファスナ結合によってソフトケース前面に結合可能とされると共に、当該窓カバーの自由端は、前記面ファスナによる結合に加えてホックによる結合を行う様に構成したこと。
【発明の詳細な説明】
【技術分野】
【０００１】
本発明は、消防隊等による救命・救急活動の現場へ酸素ボンベを持ち運ぶのに適した酸素ボンベキャリアバッグに関する。
【背景技術】
【０００２】
従来より、図１０（Ａ）に示す様に、救命隊員による救命活動をより効率的に行うことができる様に、処置室を備え、スライドドア側の開放部に酸素ボンベを収納する様にした救急車が提案されている（特許文献１）。
【０００３】
ところで、救命・救急活動においては、救急車の処置室にけが人や病人を運ぶのではなく、現場において直ちに呼吸を確保する等の措置が必要な場合がある。このため、図１０（Ｂ）〜（Ｅ）に示す様に、可搬式の酸素吸入装が種々提案されている（特許文献２〜５）。
【０００４】
特許文献２のものは、肩掛けベルトを備えた筒形バッグに酸素ボンベと酸素マスク等の機材を収容するものである。特許文献３のものは、酸素ボンベを包む編み上げ袋にリュックストラップを備え、酸素マスク等の機材を収容するポーチを取り付けたものである。特許文献４のものは、酸素ボンベを収納するキャリアカートからなり、機材等を収納する内ポケット、外ポケットを備え、キャリアから取り外して取っ手を持って運んだり、ストラップリングにリュックストラップを装着して背負って運ぶこともできるものとなっている。特許文献５のものは、酸素ボンベと流量制御部を収納するファスナ付きのバッグである。
【先行技術文献】
【特許文献】
【０００５】
【特許文献１】特開2007-111142（図３）
【特許文献２】実公平6−36829（図４）
【特許文献３】実開平7−21061（図１，図２）
【特許文献４】特開2007-105384（図１（ｂ）（ｃ））
【特許文献５】特開2012-139276（図１，図３）
【発明の概要】
【発明が解決しようとする課題】
【０００６】
ところで、この種のキャリアバッグを用いる場合、酸素ボンベを迅速に交換することが求められると共に、あらゆる現場へ機材を持ち込める様にする必用がある。また、最近では、酸素吸入を行うための制御装置も同時に運ぶことが求められている。特許文献２〜５のものは、精密機械である制御装置を運ぶことや酸素ボンベの迅速な交換といった点、さらにはあらゆる現場に持ち込める様にするという点からいうと、それぞれ不十分な点があり、これら特許文献２〜５のものを足し合わせたとしてもいまだ十分なものを提供することはできない。
【０００７】
そこで、本発明は、制御装置も同時に持ち運び現場で速やかに酸素吸入を開始できると共に、酸素ボンベの交換を迅速に実施でき、重量の大きい酸素ボンベを収納していても、種々の現場への持ち運びが容易な酸素ボンベキャリアバッグを提供することを目的とする。
【課題を解決するための手段】
【０００８】
上記目的を達成するためになされた本発明の酸素ボンベキャリアバッグは、ソフトケースで構成され、酸素吸入に必用なボンベ及び備品を収納して持ち運ぶことのできる酸素ボンベキャリアバッグであって、以下の構成をも備えたことを特徴とする。
（１）前記ソフトケースは、その底面に前記ボンベを横向き収納することのできる幅寸法及び奥行き寸法を有し、当該ボンベを横向き収納したままで酸素吸入制御を実行するための制御装置を前記ボンベの上部に収納可能な高さを有すること。
（２）前記ソフトケースの内部には、横向き収納されたボンベを載せることのできる長さと幅とを有し両端に上方への立ち上がり部を備えた底板と、該底板の上面に取り付けられて横向き収納されたボンベの前後に端部を位置させた板バネ部材と、横向き収納されたボンベの底部側所定範囲の上方所定高さに位置する水平仕切板とが取り付けられていること。
（３）前記底板の両端の立ち上がり部の内、前記ボンベの底面側となる方の立ち上がり部は当該ボンベの底面全体を受けることができる高さまで立ち上げられた底面受け立ち上がり部であり、その反対側の立ち上がり部は前記水平仕切板で覆われていない部分から当該水平仕切板を取り外さないままで前記ボンベを斜め上方に出し入れすることのできる高さの出し入れ側立ち上がり部とされていること。
【０００９】
本発明の酸素ボンベキャリアバッグによれば、水平仕切板でケース内を上下に仕切ると共に当該水平仕切板の下側にボンベ収納空間を形成することができる。ボンベは、この収納空間に横向きに収納される。このとき、ボンベは底面の底板によって下から支えられると共に、バッグを回転させてボンベを立たせたときにも底板の底面受け立ち上がり部で支えられる。さらに、ボンベの前後に位置する板バネ部材がボンベの前後方向への移動や揺れを、バネ力によって緩やかに受け止めて速やかに移動を停止し、揺れを収束させる。そして、底板の出し入れ側立ち上がり部はボンベの斜め上方への出し入れを妨げないから、水平仕切板を取り付けた状態のままであってもボンベの出し入れが可能である。この結果、水平仕切板の上の収納空間に制御装置を設置したままでボンベ交換をすることも可能となり、救命・救急時の作業を迅速に行うことが可能である。
【００１０】
ここで、本発明の酸素ボンベキャリアバッグは、以下の構成をも採用するとよい。
（４）前記ソフトケースは、前面及び背面の中央上部に取り付けられた持ち手と、前面の一端側から背面の他端側へと掛け渡される肩掛けストラップと、前記ボンベの底部を下にした状態にして背中に背負うために背面側に取り付けられた背負いパットとを有すると共に、前記肩掛けストラップは取り外し可能に構成され、前記背負いパットは背負ったときの下端側をナスカン及びＤカンで脱着可能に構成されると共に下端側を取り外したときにソフトケースの背面との間に収納するポケットを有していること。
【００１１】
かかる構成を採用することにより、持ち手でボストンバッグの様に提げて持ち運んだり、肩掛けストラップでショルダーバッグの様に肩に掛けて持ち運んだり、背負いパットでリュックサックの様に背中に背負って持ち運んだりすることができ、現場の状況、足場の状況などに合った持ち運び方法を採ることができる。このとき、肩掛けストラップは取り外し可能であるから、使用しないときに邪魔になることがない。背負いパットもポケットに収納しておくことができるから、やはり使用しないときに邪魔になることがない。そして、背負いパットを用いる場合、下端側がナスカンとＤカンで連結されるから、連結部分の自由度が高くて背負い易いと共に、前述の様に、背負ったときも底板の底面受け立ち上がり部がボンベの底面を支えるから、走ったりしたときにボンベが上下動してソフトケースを破ってしまうなどの損傷を与えることもない。
【００１２】
これら本発明の酸素ボンベキャリアバッグは、以下の構成をも採用するとよい。
（５）前記底板の底面受け立ち上がり部には、前記ボンベの底部を受け止めることのできるサイズのクッション材を取り付けてあること。
【００１３】
クッション材を備えることにより、背負ったときのボンベの上下動を抑制し、手に提げたり肩に掛けたときも、走る際の揺れに対してボンベが軸方向に移動してもクッション材で柔らかく受け止めることができる。
【００１４】
これら本発明の酸素ボンベキャリアバッグは、以下の構成をも採用するとよい。
（６）前記底板はハニカムパネル製の帯板の両端を上方へ曲げ加工することによって前記立ち上がり部を一体に形成したものであること。
【００１５】
かかる構成を採用することにより、底板を頑丈でありながら計量なものとすることができる。なお、ハニカムパネルは、例えばＡＢＳ樹脂製など合成樹脂製ハニカムパネルにしておくとよい。
【００１６】
これら本発明の酸素ボンベキャリアバッグは、以下の構成をも採用するとよい。
（７）前記板バネ部材は、前記底板の長さ中心線上に取り付ける中心線部材と、該中心線部材に取り付ける複数の円弧部材とから構成されていること。
【００１７】
中心線部材により板バネ部材の底板に対する取付位置を容易に位置決めできると共に、複数個の円弧状部を備えることにより、ボンベにねじれ運動が生じた場合にもこれを柔らかく受け止めることができる。なお、板バネ部材は、メッキ鋼板製帯板を用いるとよい。
【００１８】
これら本発明の酸素ボンベキャリアバッグは、以下の構成をも採用するとよい。
（８）前記ソフトケースは、前身頃と後身頃と底部を立体的に縫合してなるソフトケース本体と、前記底部にそれぞれの一端を固定され、前記前身頃及び後身頃の縁部に取り付けられたファスナに対してスライダ操作によってそれぞれの前後の縁に取り付けられたファスナを噛み合わせることにより前記ソフトケース本体の側面及び上面の開口を閉じるための左右の上カバーとを備えていること。
（９）前記底板及び板バネ部材は、前記底部に固定されると共に上からカバー体で覆われ、前記水平仕切板は当該ソフトケース本体の幅方向ほぼ半分の領域において前記酸素ボンベの上方を覆う様に取り付けられていること。
【００１９】
かかる構成を採用することにより、左右の上カバーを開くことにより、ソフトケースの上面から側面にかけての広い範囲に幅広の開口部を形成することができる。また、こうして左右の上カバーを開いた下にはボンベが半分程度露出した状態に収まっている。従って、ボンベを広い空間を利用して斜め上方に抜き出したり、逆に斜め上方から差し入れたりするボンベ交換作業を容易に実施することができる。このとき、水平仕切板を取り外さなくてもよいから、制御装置の様な機器をいちいち取り出したり、収納し直したりする必用が無く、迅速な作業が可能となる。
【００２０】
この場合、さらに、以下の構成をも採用するとよい。
（１０）前記水平仕切板は前後の縁の表面及び裏面に面ファスナを備え、前記前身頃と後身頃の内側面に水平に幅方向中心を縫い付けられた面ファスナで表裏から挟み付ける様にして前記ソフトケースに対して脱着可能に取り付けられていること。
【００２１】
水平仕切板は表裏から挟まれる様に面ファスナで取り付けられるから、その上に制御装置等を載せてもしっかりと高さを保つことができる。一方、面ファスナ結合による取り付け構造であるから、取り付け作業も取り外し作業も容易に実施できる。
【００２２】
この場合、さらに、以下の構成をも採用するとよい。
（１１）前記水平仕切板のボンベ底部側には、前後の縁の表面及び裏面に面ファスナを備え、前記前身頃と後身頃の内側面に垂直に幅方向中心を縫い付けられた面ファスナで表裏から挟み付ける様にして前記ソフトケースに対して脱着可能に取り付けられた垂直仕切板をも備え、前記水平仕切板及び垂直仕切板に対して底壁及び側壁を面ファスナ結合によって固定されると共に背面にも垂直壁を備え、前記垂直仕切板に固定されない側の背面の垂直壁の端部にフラップを備え、該フラップを前後方向に倒して前記ソフトケースの内面に対して面ファスナで結合することにより精密機器収納用の空間を前記水平仕切板の上側に形成する箱形仕切板をも備えていること。
【００２３】
垂直仕切板、箱形仕切板により、水平仕切板の上方を複数の区画に分けることができるから、制御装置と消耗品などを分けて収納することもできる。なお、制御装置は、箱形仕切板で囲まれた空間に収納することにより、その収納状態を安定させることができる。なお、このとき、垂直仕切板も上述の（１０）の構成における水平仕切板と同様に面ファスナで表裏から挟まれる様に固定されることで容易には外れることのない垂直壁を構成することができる。その一方、取り外しは容易である。
【００２４】
これら本発明の酸素ボンベキャリアバッグは、以下の構成をも採用するとよい。
（１２）前記ソフトケースには、横向き収納したボンベの酸素吐出口に取り付けた機器前面側から覗き見ることができる様に切りかかれた窓開口が備えられ、当該窓開口を開閉する透明な窓カバーが面ファスナ結合によってソフトケース前面に結合可能とされると共に、当該窓カバーの自由端は、前記面ファスナによる結合に加えてホックによる結合を行う様に構成したこと。
【００２５】
かかる構成を採用することにより、バッグ内に収納したボンベの圧力計などを窓カバーを通して確認することができる。そして、ボンベを使用する場合には、この窓カバーを開くことで酸素供給チューブ等をボンベに容易に接続することができる。また、この窓カバーは面ファスナで止められるだけでなく、ホックで自由端を止める構成となっているから、閉じた状態において窓カバーの縁が持ち運ぶ人の体等に触れても不用意にカバーが開いてしまうことがない。
【発明の効果】
【００２６】
本発明の酸素ボンベキャリアバッグによれば、制御装置も同時に持ち運び現場で速やかに酸素吸入を開始できると共に、酸素ボンベの交換を迅速に実施でき、重量の大きい酸素ボンベを収納していても、種々の現場への持ち運びが容易な酸素ボンベキャリアバッグを提供することができる。
【図面の簡単な説明】
【００２７】
【図１】実施例１の酸素ボンベキャリアバッグに酸素ボンベを収納した状態を示し、（Ａ）は正面図、（Ｂ）は上カバーを開けた状態の平面図である。
【図２】実施例１の酸素ボンベキャリアバッグを示し、（Ａ）は右正面から見た斜視図、（Ｂ）は左正面から見た斜視図である。
【図３】実施例１の酸素ボンベキャリアバッグを示し、（Ａ）は上カバーを開けた状態の右背面から見た斜視図、（Ｂ）はリュックストラップを取り出した状態を右背面から見た斜視図、（Ｃ）はリュックストラップを収納した状態を左背面から見た斜視図である。
【図４】実施例１の酸素ボンベキャリアバッグを示し、（Ａ）はバッグ本体の平面図、（Ｂ）はバッグ本体の底面図、（Ｃ）はバッグの後面内側の正面図、（Ｄ）は前面内側の背面図である。
【図５】実施例１の酸素ボンベキャリアバッグを示し、（Ａ）は上カバーを開いた状態の平面図、（Ｂ）はバッグの内側を示す説明図、（Ｄ）は内装の要部が見える様に一部破断した正面図である。
【図６】実施例１の酸素ボンベキャリアバッグにおける酸素ボンベの脱着方法と酸素ボンベの収納における主要な部品とを示す説明図である。
【図７】実施例１の酸素ボンベキャリアバッグに酸素ボンベを収納する手順を示す説明図である。
【図８】実施例１の酸素ボンベキャリアバッグに酸素ボンベを収納する手順を示す説明図である。
【図９】実施例１の酸素ボンベキャリアバッグの様々な持ち運び方法を示す説明図である。
【図１０】従来技術の説明図である。
【発明を実施するための形態】
【００２８】
以下、本発明を実施するための形態を実施例で説明する。
【実施例１】
【００２９】
実施例１の酸素ボンベキャリアバッグ１は、図１〜図３に示す様に、ナイロン生地で形成された前身頃１１及び後身頃１２と、ターポリン生地で形成された底部１３とを立体的に縫合してなるソフトケース本体１０を備え、ソフトケース本体１０の底部に酸素ボンベ２を収納することができる。ソフトケース本体１０の外形寸法は、幅５８０ｍｍ、高さ３６０ｍｍ、奥行き１６０ｍｍである。前身頃１１と後身頃１２の間には、裁ち幅８０ｍｍの透明ビニル製の左上カバー２１及び右上カバー２２が、それぞれ幅方向前後の縁にてファスナー２３，２４により前身頃１１及び後身頃１２に対して開閉可能となる様に取り付けられている。なお、左右の上カバー２１，２２の元部は底部１３に縫い付けられている。
【００３０】
底部１３は、右側において約１４０ｍｍ上方まで立ち上がり左側において約４０ｍｍ上方まで立ち上がる下マチを形成し、左側の方が立ち上がり量が小さい立体形状となる様に前身頃１１及び後身頃１２に対して縫合されている。
【００３１】
前身頃１１及び後身頃１２は、それぞれ２０ｍｍずつ奥行き中心に向かってせり出す上マチを備える立体形状となる様に縫合されている。また、前身頃１１及び後身頃１２は裏地を備え、裏地との間に１０ｍｍ厚さの発泡硬質ウレタン製の緩衝材パットと２ｍｍ厚さのポリエチレンボードが収納されている。なお、前身頃１１及び後身頃１２には、ナイロン１６８０Ｄ裏面ＰＶＣコーティングの生地を使用し、それぞれの裏地はナイロン４２０Ｄ裏面樹脂加工の生地を用いている。
【００３２】
前身頃１１及び後身頃１２の表面には、厚さ１．６ｍｍ、幅５０ｍｍのＰＰテープ製の持ち手３１，３２が下向きＵの字状となる様に縫い付けられている。これら前後の持ち手３１，３２は、中央で束ねることがができる様に、前側の持ち手３１の中央に巻き込み式の束ね具３３が取り付けられている。束ね具３３は持ち手３１，３２の周囲を取り巻いて束ねた状態で固定する面ファスナーを備えている。
【００３３】
また、前身頃１１の持ち手３１の右外側から後身頃１２の持ち手３２の左外側にかけて掛け渡す様に肩掛けストラップ３５も備えられている。この肩掛けストラップ３５は、厚さ１．６ｍｍ、幅３８ｍｍのＰＰテープ製の本体の中央に緩衝材入りの肩当て３６が固定されたものとなっている。また、肩掛けストラップ３５は、両端にプラスチックバックル３７，３７を備えている。これに対応して、バックル付きストラップ元部３８，３８が前身頃１１及び後身頃１２の表面に縫いつけられている。
【００３４】
肩掛けストラップ３５は、両端のプラスチックバックル３７，３７とバックル付きストラップ元部３８，３８との脱着操作により、ソフトケース本体１０に対して脱着可能で、使わないときはソフトケース本体１０から取り外しておくことができる。なお、肩掛けストラップ３５は、肩当て３６の前側にも後ろ側にもラダーロック３９，３９を備え、肩当て３６を中心とした前後の長さを調整可能な構造となっている。肩当て３６には、緩衝材として１０ｍｍ厚さの発泡硬質ウレタン製パットが包み込まれている。
【００３５】
後身頃１２に取り付けられたバックル付きストラップ元部３８には、その裏側に端部を挟まれる様にして、２本の背負いパット４１，４１の一端が上下方向に所定間隔を開けて縫い付けられている。この背負いパット４１，４１には１０ｍｍ厚さの発泡硬質ウレタン製緩衝材が収納されていて、他端側に厚さ１．６ｍｍ、幅３８ｍｍのＰＰテープ製の背負いベルト４２，４２が縫い付けられている。背負いパット４１，４１と背負いベルト４２，４２の取り付け部分の裏面には力布を施すと共に、４本のリベットで補強を施してある。
【００３６】
背負いベルト４２，４２の先端には金属製のナスカン４３，４３が取り付けられていて、ソフトケース本体１０の背面右端部の上下に取り付けた金属製のＤカン４４，４４に対して脱着可能とされている。なお、背負いベルト４２，４２にも肩掛けストラップ３５と同様のラダーロック４５，４５が取り付けられ、長さの調整が可能となっている。
【００３７】
背負いパット４１，４１は、図３（Ａ），（Ｃ）に示す様に、使用しない状態ではソフトケース本体１０の背面右端を固定端とするポケット４６の裏側に収納されている。このポケット４６は、背負いパット４１，４１の取り付け部側を開口部とする様に後身頃１２の背面に三方を縫い付けられている。
【００３８】
前身頃１１の左端部の高さ方向中央部には、面ファスナーＭＦによって上下及び右側の三辺を開閉可能とされた窓カバー５１が取り付けられている。この窓カバー５１は、透明ビニール製で、閉じた状態においても内部を覗き見ることができる。なお、窓カバー５１の右端には３個のホック５２も取り付けられていて、面ファスナーＭＦの結合が不用意に解けてしまわない様にされている。
【００３９】
左右の上カバー２１，２２は、それぞれ平行に２本ずつ設けられたファスナー２３，２４に対して、引き手２５，２６で前後連結されたリバースタイプのスライダー２７，２８を噛み合わせて開閉操作する構造となっている。このため、引き手２５を引くことによって左の上カバー２１の平行なファスナー２３，２３に噛み合った前後のスライダー２７，２７が同時に開閉動作する。同じく、引き手２６を引くことによって右の上カバー２２の平行なファスナー２４，２４に噛み合っている前後のスライダー２８，２８が同時に開閉動作する。
【００４０】
右上カバー２２と左上カバー２１は持ち手３１の左側取り付け位置辺りで先端同士が重なり合う構造となっている。この重なり合う部分にはそれぞれ面ファスナーＭＦが取り付けられていて、上カバー同士を端部で結合させることができる構造となっている。なお、長い方の右上カバー２２の先端中央には２０ｍｍテープの摘み２９が取り付けてある。この摘み２９を引っ張れば面ファスナーＭＦ同士の結合を容易に引き剥がすことができる。
【００４１】
これら上カバー２１，２２は、その左右の上角から根元に掛けての部分には５０ｍｍ幅の反射生地５３，５４が縫い付けてある。前身頃１１の持ち手３１の付け根部分中央にも５０ｍｍ幅の反射生地５５が縫い付けてある。また、その下方には透明なカード入れ５６が縫い付けてある。このカード入れ５６と反射生地５５の間に、所属組織等の名称を印刷した所属組織表示テープ５７が縫い付けてある。
【００４２】
実施例の酸素ボンベキャリアバッグ１の底面には、図４（Ｂ）に示す様に、６個のピラミッド型底あて６１が取り付けられている。また、後身頃１２の内面には、図４（Ｃ）に示す様に、ほぼ左半分の領域にメッシュポケット６２が縫い付けられると共に、右半分の領域には２本の面ファスナＭＦ，ＭＦが水平方向と垂直方向に縫い付けられている。これら２本の面ファスナＭＦ，ＭＦは、幅中心を縫い付け線ＳＬとして縫い付けられている。
【００４３】
また、図４（Ｄ）に示す様に、前身頃１１の左端は窓開口となる矩形状の切り欠き部６３が形成され、内面には、後身頃側と対応する位置に面ファスナーＭＦ，ＭＦが幅中心を縫い付け線ＳＬとして縫い付けられている。
【００４４】
これら前身頃１１の内面の面ファスナーＭＦ，ＭＦと後身頃１２の内面の面ファスナーＭＦ，ＭＦの縫い付け線ＳＬに合わせる様に、水平仕切板７１と垂直仕切板７２が取り付けられる。水平仕切板７１及び垂直仕切板７２の前後の縁にはそれぞれ面ファスナＭＦが取り付けられていて、この縁の面ファスナＭＦを前身頃１１及び後身頃１２に幅中心で縫い付けた面ファスナーＭＦで表裏から挟む様にすることによって水平仕切板７１及び垂直仕切板７２が前身頃１１と後身頃１２の右半分の領域に取り付けられる。
【００４５】
水平仕切板７１の上面ほぼ中央と、垂直仕切板７２の左面ほぼ中央にはそれぞれ面ファスナＭＦ，ＭＦが取り付けられている。そして、底板と右側板の各外面に面ファスナＭＦ，ＭＦを備える箱形仕切板７３が、面ファスナ結合によって水平切板７１及び垂直仕切板７２に対して取り付けられる。この箱形仕切板７３の左端上部にはフラップ７４が備えられていて、その縁の外面に取り付けた面ファスナＭＦを、前身頃１１に取り付けた面ファスナ付きバンド７５で押さえる様にしてフラップ７４を前身頃１１に対して固定することができる構造となっている。なお、箱形仕切板７３の底面及び右側面には発泡軟質ウレタン製の緩衝材が収納されている。
【００４６】
以上の構造により、図５に示す様に、酸素ボンベキャリアバッグ１の内部には、水平仕切板７１の下方の酸素ボンベ収納区画８１と、箱形仕切板７３と前身頃１１によって取り囲まれた制御機器収納区画８２とが形成される。また、箱形仕切板７３の背面側及び垂直仕切板７２の右側にもそれぞれ収納区画８３，８４が形成される。また、前身頃１１と後身頃１２の上端中央には面ファスナＭＦ，ＭＦを備えた上閉じベルト８５，８６が取り付けられていて、バッグの上部を開き止めすることができる構造となっている。同様のベルト８７が箱形仕切板７３の上端にも取り付けられている。さらに、酸素ボンベ収納区画８１にも面ファスナＭＦ，ＭＦで結合されるボンベ押さえベルト８８，８８が取り付けられている。なお、仕切板で仕切られた区画以外にも、バッグ内には、後身頃１２のメッシュポケット６２が収納部として備わっている。
【００４７】
酸素ボンベ収納区画８１の底面には、図６に示す様に、底板９１と、この底板９１の上面に取り付けられる板バネ部材９２が、カバー体９３に覆われる様にして収納されている。このカバー体９３の下側空間９４にはスポンジ製のクッション体が収納される。底板９１は、左右端に立ち上がり部９１Ｌ，９１Ｒを有する形状に曲げ加工されたＡＢＳ樹脂製ハニカムパネルで構成されている。左端の立ち上がり部９１Ｌは上方へ４０ｍｍ、右端の立ち上がり部９１Ｒは上方へ１４０ｍｍ立ち上げられている。板バネ部材９２は、厚さ１ｍｍ幅２５ｍｍのメッキ鋼板で製造された中心線部材９２Ａと、中心線部材９２Ａの上面にリベット止めされる円弧部材９２Ｂ，９２Ｃとから構成されていて、底板９１の幅中心に中心線部材９２Ａをリベット接合して固定される。円弧部材９２Ｂ，９２Ｃは中心線部材９２Ａを長さ方向にほぼ３等分する間隔で取り付けられている。また、中心線部材９２Ａの右端は底板９１の右端の立ち上がり部９１Ｒの湾曲部に沿う様に上方へ湾曲された立ち上がり部９２Ｄとされている。
【００４８】
これら底板９１及び板バネ部材９２を覆うカバー体９３の上面に、前述のボンベ押さえベルト８８，８８が縫い付けられている。また、カバー体９３の上には、底板９１の右端の立ち上がり部９１Ｒにあてがう様にしてウレタン部材９５が装着される。このウレタン部材９５は左面に酸素ボンベ２の底部を受け入れる大きさの円形窪み９５Ａを備え、巾着袋９６に収納された状態で面ファスナＭＦを用いてカバー体９３に貼り付ける様にして装着される。
【００４９】
次に、実施例の酸素ボンベキャリアバッグ１に酸素ボンベ２を収納する手順について説明する。まず、仕切板７１〜７３を装着しない状態にし（図７（Ａ））、酸素ボンベ２を収納区画８１に収納する。このとき、酸素ボンベ２の底面を右側に向け、ウレタン部材
９５の円形窪み９５Ａに進入させ、ボンベ押さえベルト８８，８８でボンベを押さえる（図７（Ｂ））。そして、巾着袋９６を酸素ボンベ２の底部を包み込む様に引き出し（図７（Ｃ））、水平仕切板７１を装着する（図７（Ｄ））。その後、垂直仕切板７２及び箱形仕切板７３を装着し、フラップ７４を前方へ倒す（図７（Ｅ））。フラップ７４を面ファスナ付きバンド７５で押さえると共に、ベルト８７で収納区画８２の上部を止める（図７（Ｆ））。
【００５０】
このとき、収納区画８２には、酸素吸入用の制御装置を収納する。また、その他必用な機材を収納区画８３，８４やメッシュポケット６２に収納する。
【００５１】
続いて、右側の上カバー２２の引き手２６を引いてファスナー２４を閉じる（図７（Ｇ）→（Ｈ））。このとき、上カバー２２は完全に閉じない様に、引き手２６を少し手前の位置まで引いたら、上閉じベルト８５，８６でバッグの上部を前後固定する（図８（Ａ））。そして、左側の上カバー２１の引き手２５を引いてファスナー２３を閉じ始め（図８（Ｂ））、左右の上カバー２１，２２の先端同士を面ファスナーで結合する（図８（Ｃ）〜（Ｆ））。後は、持ち手３１，３２を束ね具３３で束ねる（図８（Ｇ），（Ｈ））。
【００５２】
なお、酸素ボンベ２を取り出して入れ替えるときは、仕切板７１〜７３を装着したまま、左側の上カバー２１を開き、ボンベ押さえベルト８８，８８の押さえを解き、左側の開口部分から抜き取る様にすればよい。底板９１の左端の立ち上がり部９１Ｌは４０ｍｍでり、底部１３の左側も約４０ｍｍ立ち上がっているだけであり、収納区画８１の左側上方は広く開いているから、容易に酸素ボンベ２を抜き取ることができる。
【００５３】
こうして古い酸素ボンベを抜き取ったら、新しい酸素ボンベを水平仕切板７１の下に滑り込ませる様に挿入し、ウレタン部材９５に突き当てた上でボンベ押さえベルト８８，８８を閉じる。巾着袋９６を被せる様にしていないけれども、ウレタン部材９５には円形の窪み部９５Ａを備えているから、容易に位置決めすることができる。また、カバー体９３の下には、板バネ部材９２が収納され、その円弧部材９２Ｂ，９２Ｃが左右方向のボンベの転がりをバネで受け止めることにより、ソフトに中心合わせをすることもできる。
【００５４】
実施例の酸素ボンベキャリアバッグ１は、図９（Ａ）に示す様に、持ち手３１，３２を持ってボストンバッグの様に持ち歩くことができる。このとき、ハニカムパネル製の底板９１が重たい酸素ボンベ２を下から支えるので、バッグの底が下方に膨らんだりすることはない。また、精密機器は収納区画８２において箱形仕切板７３で保護された状態に安定した態様で収納される。そして、バッグを揺する様に走っても、酸素ボンベ２はボンベ押さえベルト８８，８８で上下動を抑制され、ウレタン部材９５で受け止められて左右動も抑制されるので、収納品が揺れて早足を妨げるといったことも生じない。
【００５５】
実施例の酸素ボンベキャリアバッグ１は、図９（Ｂ）に示す様に、背負いパット４１，４１をポケット４６から取り出して、ナスカン４３，４３とＤカン４４，４４を連結することにより、酸素ボンベ２の底を下にしてリュックサックの様に背負って持ち運ぶこともできる。このとき、酸素ボンベ２の重量がバッグの右面に加わるが、底板９１の右端の立ち上がり部９１Ｒは酸素ボンベ２の底面を支えることができる長さに立ち上がっている。しかも底板９１はハニカムパネルで構成されて高い曲げ強度を有するから、酸素ボンベ２の底をしっかりと支えることができる。そして、ウレタン部材９５でソフトに受け止めると共に、板バネ部材９２の円弧部材９２Ｂ，９２Ｃが左右への揺れをソフトに受け止めて中心に維持する作用を発揮する結果、酸素ボンベ２の上下動や左右動が抑制され、リュックサックの様に背負って現場へ急ぐとき、その歩行や走りを妨げることがない。
【００５６】
なお、実施例の酸素ボンベキャリアバッグ１においては、図９（Ｃ）に示す様に、背負いパット４１，４１をポケット４６に収納して邪魔にならない様にすることができ、図９（Ｄ）に示す様に、肩掛けストラップ３５を用いて肩に掛けてショルダーバッグの様に持ち運ぶこともできる。ショルダーバッグの様に持ち運ぶ際にも、酸素ボンベ２は底板９１や板バネ部材９２、ウレタン部材９５で受け止められ、揺れを抑制されるから、小走りで移動する際にも妨げにならない。
【００５７】
本実施例によれば、酸素ボンベ２を必用な機材と共に収納して、ボストンバッグの様に手に持って、リュックサックの様に背中に背負って、ショルダーバッグの様に肩に掛けて、持ち運ぶことができ、種々の現場への持ち込みが可能である。また、仕切板７１〜７３によってバッグ内を収納空間８１〜８４に区画でき、メッシュポケット６２も備わっている結果、種々の機材を運搬中に揺れにくく、損傷しにくい態様で収納することができる。そして、左側の上カバー２１を大きく下方まで開くことができる構成となっている結果、酸素ボンベ２の交換に当たって、仕切り板７１〜７３を装着したままでも作業可能であり、迅速なボンベ交換作業を行うことができる。
【００５８】
以上、発明を実施するための実施例を説明したが、本発明は、これに限定されるものではなく、その要旨を逸脱しない範囲内における種々の変更が可能である。
【産業上の利用可能性】
【００５９】
消防隊等における救命・救急活動の際に酸素ボンベを現場で運ぶためのバッグとして産業上の利用が可能である。
【符号の説明】
【００６０】
１・・・酸素ボンベキャリアバッグ、２・・・酸素ボンベ、１０・・・ソフトケース本体、１１・・・前身頃、１２・・・後身頃、１３・・・底部、２１・・・左上カバー、２２・・・右上カバー、２３，２４・・・ファスナー、２５，２６・・・引き手、２７，２８・・・スライダー、２９・・・摘み、３１，３２・・・持ち手、３３・・・巻き込み式の束ね具、３５・・・肩掛けストラップ、３６・・・肩当て、３７・・・プラスチックバックル、３８・・・バックル付きストラップ元部、３９・・・ラダーロック、４１・・・背負いパット、４２・・・背負いベルト、４３・・・ナスカン、４４・・・Ｄカン、４５・・・ラダーロック、４６・・・ポケット、５１・・・窓カバー、５２・・・ホック、５３，５４・・・反射生地、５５・・・反射生地、５６・・・透明なカード入れ、５７・・・所属組織表示テープ、６１・・・ピラミッド型底あて、６２・・・メッシュポケット、７１・・・水平仕切板、７２・・・垂直仕切板、７３・・・箱形仕切板、７４・・・フラップ、７５・・・面ファスナ付きバンド、８１・・・酸素ボンベ収納区画、８２・・・制御機器収納区画、８３．８４・・・収納区画、８５，８６・・・上閉じベルト、８７・・・ベルト、８８・・・ボンベ押さえベルト、９１・・・底板、９１Ｌ・・・左端の立ち上がり部、９１Ｒ・・・右端の立ち上がり部、９２・・・板バネ部材、９２Ａ・・・中心線部材、９２Ｂ，９２Ｃ・・・円弧部材、９２Ｄ・・・湾曲された立ち上がり部、９３・・・カバー体、９５・・・ウレタン部材、９５Ａ・・・円形窪み、９６・・・巾着袋、ＭＦ・・・ファスナＭＦ。
【図１】
2015015970.tif 000003
【図２】
2015015970.tif 000004
【図３】
2015015970.tif 000005
【図４】
2015015970.tif 000006
【図５】
2015015970.tif 000007
【図６】
2015015970.tif 000008
【図７】
2015015970.tif 000009
【図８】
2015015970.tif 000010
【図９】
2015015970.tif 000011
【図１０】
2015015970.tif 000012